(57)【要約】【課題】            頻繁に現金の授受が行なわれるレジカウンターに、特に高額紙幣の真贋を判定する装置が存在していなかったという点であり、また、釣り銭として使用される硬貨類のカウントも手作業でなされていたという点である。【解決手段】        レジスター装置は一部に高額紙幣専用の挿入口と、その挿入口に続く搬送ガイドと、その搬送ガイドから放出された高額紙幣を積層収納するスタッカーとを備え、前記した搬送ガイドに対応して、少なくとも高額紙幣にプリントされているマイクロ文字、ホノグラフ、すき入れパターンを識別するための光学系のレンズ、プリズム、ＣＣＤカメラ、リニアイメージセンサー等を備えていることとし、上方の一部に硬貨処理装置を備え、その硬貨処理装置から排出される必要枚数の硬貨が引出し内あるいは引出し外の釣り銭ボックス部に送り込まれるシュートを備えていることとする。【選択図】          図１
2007193398.tif 000002
【特許請求の範囲】
【請求項１】
一部に高額紙幣専用の挿入口と、その挿入口に続く搬送ガイドと、その搬送ガイドから放出された高額紙幣を積層収納するスタッカーとを備え、前記した搬送ガイドに対応して、少なくとも高額紙幣にプリントされているマイクロ文字、ホノグラフ、すき入れパターンを識別するための光学系のレンズ、プリズム、ＣＣＤカメラ、リニアイメージセンサー等を備えていることを特徴とするレジスター装置。
【請求項２】
表面の一部に紙幣の真贋を肉眼で判定可能とする紫外線発光素子等を少なくとも装備していることを特徴とする請求項１に記載のレジスター装置。
【請求項３】
前記した紫外線発光素子と並設して紙幣にプリントされているマイクロ文字等を肉眼で判別するための光学系のレンズ、プリズム、ＣＣＤカメラ、リニアイメージセンサー等を備えていることを特徴とする請求項２に記載のレジスター装置。
【請求項４】
上方の一部に硬貨処理装置を備え、その硬貨処理装置から排出される必要枚数の硬貨が引出し内あるいは引出し外の釣り銭ボックス部に送り込まれるシュートを備えていることを特徴とする請求項１、請求項２または請求項３に記載のレジスター装置。
【請求項５】
前記した硬貨処理装置はランダムに複数種、複数枚の硬貨が投入される収容部と、その収容部内に臨まされ、硬貨の最大外径と合致もしくは大径として複数の凹穴を表面に形成したローターを備えていることを特徴とする請求項４に記載のレジスター装置。
【請求項６】
前記したロ−ターにより搬出された複数種の硬貨を転がし送るテーパガイドを有し、そのテーパガイドには各硬貨の径と合致するスリットあるいは透孔を上方から下方にかけ、小さいものから順次形成してあり、そのスリットの下方には各種別の硬貨を収納する円筒体を備えていることを特徴とする請求項５に記載のレジスター装置。
【請求項７】
前記した硬貨処理装置は各種ごとの硬貨ごとに収納する複数の円筒体を有しており、その円筒体はカセットとして着脱自在としてあることを特徴とする請求項４に記載のレジスター装置。
【発明の詳細な説明】
【技術分野】
【０００１】
本発明はスーパーマーケット、量販店あるいは個人商店等において、商品の購入を精算するレジカウンターに設置され、現金を一時的にも収容しておくレジスター装置の改良に関する。
【背景技術】
【０００２】
現在、スーパーマーケット等のレジカウンターに設置されるレジスターは、商品に貼付あるいはプリントされているバーコードを読み取るスキャナー装置が併設されており、そのスキャナー装置で読み取られた内容が表示部に表示され、合計金額が客側、店員側の両方で確認できるようになっている。
【０００３】
また、レジスター装置には同一商品を複数個購入した際の乗算をしたり、値下げ商品の価格を打ち込み、あるいはスキャナー装置が故障した際のため等に使用されるキーボードも設けられている。
【０００４】
さらに、レジスター装置は現金を区別して収容する引出しが備えられ、通常その引出しは手前側に釣り銭として使用される硬貨が収められ、奥側に金種ごとに紙幣が収められ、一般的にはバネ性を保有した抑え金具で表面が押えられている。
【０００５】
ここで、客が支払い用として使用した一万円札は釣り銭用としては使用することがないため、硬貨が収容されるトレイ等の下側に別途収められるのが通例となっている。
【０００６】
しかしながら、従来のレジスター装置には特に高額な一万円札の真贋を識別するための装置が付設されている例はなく、繁忙と合わせて、偽札の使用を許してしまうケースも多かったところである。
【０００７】
更に、釣り銭用として使用される硬貨は金種ごとに各トレイに分納されているが、それを数え、手渡すのは手作業となり、時間もかかり、誤りを生じてしまうことも多かったところである。
【特許文献１】本願発明について、出願人は先行する技術文献を調査したが格別に関連すると思われるものを発見することはできなかった。
【発明の開示】
【発明が解決しようとする課題】
【０００８】
本発明が解決しようとする課題は頻繁に現金の授受が行なわれるレジカウンターに、特に高額紙幣の真贋を判定する装置が存在していなかったという点であり、また、釣り銭として使用される硬貨類のカウントも手作業でなされていたという点である。
【課題を解決するための手段】
【０００９】
上記した問題点を解決するために、本発明に係るレジスター装置は一部に高額紙幣専用の挿入口と、その挿入口に続く搬送ガイドと、その搬送ガイドから放出された高額紙幣を積層収納するスタッカーとを備え、前記した搬送ガイドに対応して、少なくとも高額紙幣にプリントされているマイクロ文字、ホノグラフ、すき入れパターンを識別するための光学系のレンズ、プリズム、ＣＣＤカメラ、リニアイメージセンサー等を備えていることを特徴とし、表面の一部に紙幣の真贋を肉眼で判定可能とする紫外線発光素子等を少なくとも装備していることを特徴とし、前記した紫外線発光素子と並設して紙幣にプリントされているマイクロ文字等を肉眼で判別するための光学系のレンズ、プリズム、ＣＣＤカメラ、リニアイメージセンサー等を備えていることを特徴としている。
【００１０】
また、本発明に係るレジスター装置は上方の一部に硬貨処理装置を備え、その硬貨処理装置から排出される必要枚数の硬貨が引出し内あるいは引出し外の釣り銭ボックス部に送り込まれるシュートを備えていることを特徴とし、前記した硬貨処理装置はランダムに複数種、複数枚の硬貨が投入される収容部と、その収容部内に臨まされ、硬貨の最大外径と合致もしくは大径として複数の凹穴を表面に形成したローターを備えていることを特徴とし、前記したロ−ターにより搬出された複数種の硬貨を転がし送るテーパガイドを有し、そのテーパガイドには各硬貨の径と合致するスリットあるいは透孔を上方から下方にかけ、小さいものから順次形成してあり、そのスリットの下方には各種別の硬貨を収納する円筒体を備えていることを特徴とし、前記した硬貨処理装置は各種ごとの硬貨ごとに収納する複数の円筒体を有しており、その円筒体はカセットとして着脱自在としてあることを特徴としている。
【発明の効果】
【００１１】
本発明に係るレジスター装置は上記のように構成されている。そのため客が支払い用として供出した、特に高額紙幣をその場で真贋判定が素早く行なえ、その構造によっては真正と判定された高額紙幣はそのままスタッカーへ順次収納していくことができるもので、店員側の手間を大きく削減できることとなり、高額紙幣の収納は一枚ごとにメモリー、プリンターによってその日付、時刻等を表示したりプリントアウトすることもできることとなる。
【００１２】
また、釣り銭に関しても硬貨は表示された額に合わせて必要分が釣り銭ボックスへ排出されるため、一々枚数を数えたり、硬貨の取り違い等のミスも一切なくすことができ、レジカウンターにおける業務の一層のスピードアップを図ることができることとなる。
【発明を実施するための最良の形態】
【００１３】
図として示す実施例のように構成することで実現した。
【実施例１】
【００１４】
次に、本発明の好ましい実施の例を図面を参照して説明する。図１は本発明を実施したレジスター装置を示す全体斜視図、図２は同じく一万円札収納機構を示す図、図３は同じく引出し内を示す図、図４は同じく変形させたシュートを示す図、図５は同じく硬貨処理装置を示す図、図６は同じく断面図、図７は同じくローターを示す図、図８は同じくコンパクトでハンディな識別装置を示す図である。
【００１５】
これらの図にあって１はレジカウンター等に設置されるレジスター装置本体を示している。このレジスター本体１は通例と同様に手前側に出入する引出し２が設けられており、この引出し２内には売上金や釣り銭等が分別されて収納されている。
【００１６】
このレジスター装置本体１の表面にはテンキー３が配設され、このテンキー３はレジスター装置本体１の奥側に配設されている回路基板（図示せず）と電気的に接続され、例えば表示部４等における表示（計算結果も含む）等を実行する。
【００１７】
また、レジスター装置本体１の一部、本実施例にあっては右サイドに高額紙幣、主として一万円札の挿入口５が設けられている。この挿入口５の側板には、その挿入口５に一万円札が挿入されたことを検知し、ローディングするためのメカニズムを起動させるセンサー群６が設けられている。
【００１８】
この挿入口５は内部搬路と連通するが、この搬路の大概は本実施例では上下方向に平行配置された一対の断面Ｓ字状とした回転ガイドバー７、７のガイド溝７ａ、７ａとなっている。挿入口５から回転ガイドバー７、７のガイド溝７ａ、７ａに一万円札Ｂの両側縁が導入されるとローディングは一旦停止し、回転ガイドバー７、７は相互に相対する方向（図２における矢印を参照）へ１８０度回転し、ガイド溝７ａ、７ａの一万円札を放出し、順次受板８へ押し付け積層収納していくこととなる。
【００１９】
また、前記した一対の回転ガイドバー７、７の略中間位置にはＣＣＤカメラ、リニアイメージセンサーあるいはレンズ、プリズム等の光学系素子９が配置され、特に一万円札Ｂにプリントされたマイクロ文字やホノグラフ、すき入れパターンを確認することで真贋を判定する。この素子９で得られたデータは回路基板へ送られ、メモリー素子の内容と比較される。特にマイクロ文字は贋札の場合、どうしても縮みが生じるため、真贋判定の大きな要素として利用できる。この位置に紫外線や近赤、赤外線等の光学センサーも併置し、判定機能をアップさせることもできる。尚、プリズムを用いてホノグラフをチェックする際はその両サイドより見ることとなる。
【００２０】
一方、前記した受板８はフラットなものではなく、上下端に回転ガイドバー７、７との当接部８ａ、８ａを形成し、中間部８ｂをやや凹ませた形状としてあり、その後面をコイルスプリング１０により前方へ附勢されている。受板８をかかる形態としたことで一万円札Ｂが多数枚積層された状態でその全体の中央部分が、両縁を支持されていることから前方へ膨出してしまうことを防止することができる。
【００２１】
さらに、レジスター装置本体１の上面には、一万円札Ｂをはじめ各種紙幣を手作業で位置合せをし、真贋を判定できる照合部１１が設けられている。この照合部１１には前記したと同様の光学系素子９と、紫外線センサー１２（特に波長３７０〜３７５ｎｍ）が設けられ、透かし、フォノグラフ、すき入れパターン等を種々センサーと組合せて確認し、メモリーと照合するほか、肉眼をもっても判定をすることを可能としている。
【００２２】
また、レジスター装置本体１の後方上部には、本実施例にあって表示部４と隣接して硬貨処理装置１３が装備されている。この硬貨処理装置１３は上部にランダムに複数種、複数枚の硬貨Ｃ、Ｃ‥が投入されるホッパー部１４が設けられている。このホッパー部１４内には外部モーター１５で駆動回転されるローター１６が臨まされている。
【００２３】
このローター１６には回転軸の周囲に硬貨Ｃのうち最大径のもの（五百円硬貨）よりもやや大径もしくは同径とした複数の透孔１７、１７‥が同心状に配列されている。ローター１６が定速で回転されると、ホッパー部１４内の硬貨Ｃ、Ｃ‥は順次この透孔１７、１７‥に入り、ローター１６の背面側に形成されたガイド部１８へ放出されていく。
【００２４】
このガイド部１８は一方向に向けて傾斜されており（図５参照）、そのガイド部１８には順次径を小から大としたスリットもしくは透孔１９が形成され、径の異なる各硬貨Ｃ、Ｃ‥は順次そのスリットもしくは透孔１９から各種類ごとに下方へ落下されていき、各種ごとに集積されるようになっている。即ち、例えば五百円硬貨は径が大きいため、十円や百円用のスリットもしくは透孔１９からは落下せず最大径の五百円硬貨用のスリットもしくは透孔１９からのみ落下することとなる。
【００２５】
前記したスリットもしくは透孔１９の下方には上部開口を連通させて各々円筒体２０、２０‥が備えられている。この各円筒体２０、２０‥内には種類ごとに硬貨Ｃ、Ｃ‥が集積され、その円筒体２０の下端には集積されている硬貨Ｃ、Ｃ‥を一枚づつ排出するためのスリット２１が形成されている。尚、前記した円筒体２０、２０‥はカセットとして着脱可能とすることもでき、この場合は予め硬貨が充填された円筒体２０、２０‥を用いることでホッパーやローター等を不要とすることも可能となる。
【００２６】
各円筒体２０、２０‥から一枚づつカウントされて排出された硬貨Ｃ、Ｃ‥は送出片２２によってシュート２３へ放出され、引出し２内に形成された釣り銭受け２４へ導かれ、店員はその釣り銭を客へ渡すことになる。また、前記シュート２３は図４として示すシュート２３ａのように略９０度方向性を捻ることで引出し２外に配置した釣り銭受けもしくはトレイ等へ排出することも可能で、この構成では客側も排出されてきた釣り銭を瞬時に目視することができるようになる。
【００２７】
前記した円筒体２０のスリット２１からの硬貨Ｃ、Ｃの排出や送出片２２の稼動はシュート２３の上方等の適宜位置に配されるモーター２５によりなされるものとしてある。この構成はシャッターゲート等を用いることでも実現可能である。
【００２８】
また、釣り銭は硬貨のみならず、引出し２内に各金種ごとに積層され、バネ性を保有した抑え金具２６、２６‥で表面を押えられた五千円札、二千円札、千円札も使用されることとなるが、この各紙幣を釣り銭として使用する際、各紙幣は最底部分から一枚づつカウントされて手前側へ例えば偏心ローラー等を使用してオートローディングされてくるものとなっている。
【００２９】
この上記した釣り銭の支払い、即ち、硬貨Ｃ、Ｃ‥や紙幣の動きは表示部４に、全ての計算が終了して釣り銭額の表示がなされた際にレジスター装置本体１の表面に設けられた決定精算スイッチ２７を押圧、タッチ等で入力することでメカニズムが起動するものとなっている。
【００３０】
さらに、本実施例におけるレジスター装置本体１の表面には一万円札Ｂ以外の各種紙幣の挿入口２８も形成されており、この挿入口２８から紙幣を挿入するとセンサーで各金種を認識し、搬路を分岐させて、各専用の収納位置へ振り分け板等を用いる等して送り込まれるよう設定されている。
【００３１】
さらに、図８として示すのはハンディでコンパクトな折り畳み式の識別器２９であり、この識別器２９にも前記したと同様の光学系素子９や紫外線センサー１２が備えられており、目的紙幣を挟み込むことで簡便に紙幣の真贋を判定することができ、これをレジカウンターへ設備しておくこと、あるいは傍らへ用意しておくことでも贋札の使用を発見し、抑制することが可能となる。
【産業上の利用可能性】
【００３２】
本実施例に係るレジスター装置は上記のように構成されているが、一万円札Ｂの識別及び収納機構は別製作のものとして、既存のレジスターに付設することも可能であり、又、硬貨処理装置にあって五円硬貨や一円硬貨までも同時処理するように構成することも勿論可能であり、引出し２の手前側に従前通り金種別とした硬貨トレイを用意しておくことも当然に可能である。硬貨処理装置１３のホッパー部１４には客から受け取った硬貨を順次投入していくことも可能で、更に、この硬貨処理装置１３自体を着脱自在とすることもでき、非常に効率のよいレジスター装置とすることができる。加えて、一万円札の枚数表示、プリンターによる売上票や領収証の発行、そしてカードに対応させて自動会計も可能とできる。
【図面の簡単な説明】
【００３３】
【図１】本発明を実施したレジスター装置を示す全体斜視図である。
【図２】一万円札収納機構を示す図である。
【図３】引出し内を示す図である。
【図４】変形させたシュートを示す図である。
【図５】硬貨処理装置を示す図である。
【図６】断面図である。
【図７】ローターを示す図である。
【図８】コンパクトでハンディな識別装置を示す図である。
【符号の説明】
【００３４】
１      レジスター装置本体
２      引出し
３      テンキー
４      表示部
５      一万円札の挿入口
６      センサー群
７      回転ガイドバー
７ａ    ガイド溝
８      受板
８ａ    当接部
８ｂ    中間部
９      光学系素子
１０    コイルスプリング
１１    照合部
１２    紫外線センサー
１３    硬貨処理装置
１４    ホッパー部
１５    モーター
１６    ローター
１７    透孔
１８    ガイド部
１９    スリットもしくは透孔
２０    円筒部
２１    スリット
２２    送出片
２３    シュート
２３ａ  シュート
２４    釣り銭受け
２５    モーター
２６    抑え金具
２７    決定精算スイッチ
２８    挿入口
２９    識別器
Ｂ      一万円札
Ｃ      硬貨
【図１】
2007193398.tif 000003
【図２】
2007193398.tif 000004
【図３】
2007193398.tif 000005
【図４】
2007193398.tif 000006
【図５】
2007193398.tif 000007
【図６】
2007193398.tif 000008
【図７】
2007193398.tif 000009
【図８】
2007193398.tif 000010
【手続補正書】
【提出日】平成18年1月19日(2006.1.19)
【手続補正１】
【補正対象書類名】明細書
【補正対象項目名】００１９
【補正方法】変更
【補正の内容】
【００１９】
また、前記した一対の回転ガイドバー７、７の略中間位置にはＣＣＤカメラ、リニアイメージセンサーあるいはレンズ、プリズム等の光学系素子９が配置され、特に一万円札Ｂにプリントされたマイクロ文字やホノグラフ、すき入れパターンを確認することで真贋を判定する。この素子９で得られたデータは回路基板へ送られ、メモリー素子の内容と比較される。特にマイクロ文字は贋札の場合、どうしても縮みが生じるため、真贋判定の大きな要素として利用できる。この位置に紫外線や近赤、赤外線等の光学センサーも併置し、判定機能をアップさせることもできる。
【手続補正２】
【補正対象書類名】明細書
【補正対象項目名】００３１
【補正方法】変更
【補正の内容】
【００３１】
さらに、図８として示すのはハンディでコンパクトな折り畳み式の識別器２９であり、この識別器２９にも前記したと同様の光学系素子９や紫外線センサー１２が備えられており、目的紙幣を挟み込むことで簡便に紙幣の真贋を判定することができ、これをレジカウンターへ設備しておくこと、あるいは傍らへ用意しておくことでも贋札の使用を発見し、抑制することが可能となる。尚、プリズムを用いてホノグラフをチェックする際はその両サイドより見ることとなる。
【手続補正書】
【提出日】平成18年1月25日(2006.1.25)
【手続補正１】
【補正対象書類名】特許請求の範囲
【補正対象項目名】請求項１
【補正方法】変更
【補正の内容】
【請求項１】
一部に高額紙幣専用の挿入口と、その挿入口に続く搬送ガイドと、その搬送ガイドから放出された高額紙幣を積層収納するスタッカーとを備え、前記した搬送ガイドに対応して、少なくとも高額紙幣にプリントされているマイクロ文字、ホノグラフ、すき入れパターン等を識別するための光学系のレンズ、プリズム、ＣＣＤカメラ、リニアイメージセンサー等を備えていることを特徴とするレジスター装置。
【手続補正２】
【補正対象書類名】明細書
【補正対象項目名】０００９
【補正方法】変更
【補正の内容】
【０００９】
上記した問題点を解決するために、本発明に係るレジスター装置は一部に高額紙幣専用の挿入口と、その挿入口に続く搬送ガイドと、その搬送ガイドから放出された高額紙幣を積層収納するスタッカーとを備え、前記した搬送ガイドに対応して、少なくとも高額紙幣にプリントされているマイクロ文字、ホノグラフ、すき入れパターン等を識別するための光学系のレンズ、プリズム、ＣＣＤカメラ、リニアイメージセンサー等を備えていることを特徴とし、表面の一部に紙幣の真贋を肉眼で判定可能とする紫外線発光素子等を少なくとも装備していることを特徴とし、前記した紫外線発光素子と並設して紙幣にプリントされているマイクロ文字等を肉眼で判別するための光学系のレンズ、プリズム、ＣＣＤカメラ、リニアイメージセンサー等を備えていることを特徴としている。
【手続補正３】
【補正対象書類名】明細書
【補正対象項目名】００１９
【補正方法】変更
【補正の内容】
【００１９】
また、前記した一対の回転ガイドバー７、７の略中間位置にはＣＣＤカメラ、リニアイメージセンサーあるいはレンズ、プリズム等の光学系素子９が配置され、特に一万円札Ｂにプリントされたマイクロ文字やホノグラフ、すき入れパターン等を確認することで真贋を判定する。この素子９で得られたデータは回路基板へ送られ、メモリー素子の内容と比較される。特にマイクロ文字は贋札の場合、どうしても縮みが生じるため、真贋判定の大きな要素として利用できる。この位置に紫外線や近赤、赤外線等の光学センサーも併置し、判定機能をアップさせることもできる。